(57)【要約】  外キャップの内周面と薬液注射用機器の周面との間を密閉させ、薬液の吸引時、吸引流路に安定的に負圧を形成し、フィルターを備えた薬液注射用機器が薬液をさらに確実に吸引するようにし、特に、薬液の吸引時、注射針への薬液の侵入を防ぎ、ろ過される前の薬液が注射針を汚染させることを根本的に防ぐことにより、フィルターを備えた薬液注射用機器の商品性及びユーザの安定性を極大化させることができる薬液注射用機器の外キャップを提供する。  薬液を吸引する吸引針１１０と、薬液注射用機器２００に気密性を維持して結合するキャップハブ１２０とが設けられ、吸引針１１０からキャップハブ１２０に至る内部空間が形成された外キャップ１００であって、内部空間には、薬液注射用機器２００の組み立てにより、注射針２１０を収容する注射針収容部１３０が形成され、注射針収容部１３０の入口には、薬液注射用機器２００の組み立てにより、薬液注射用機器２００の周面と接触し、内部空間と注射針収容部１３０との間に気密性を維持させる密閉手段が設けられることを特徴とする。【選択図】      図６
2019517319.tif 000002
【特許請求の範囲】
【請求項１】
薬液を吸引する吸引針と、薬液注射用機器に気密性を維持して結合するキャップハブとが設けられ、前記吸引針から前記キャップハブに至る内部空間が形成された外キャップであって、
前記内部空間には、前記薬液注射用機器の組み立てにより、注射針を収容する注射針収容部が形成され、
前記注射針収容部の入口には、前記薬液注射用機器の組み立てにより、前記薬液注射用機器の周面と接触し、前記内部空間と前記注射針収容部との間に気密性を維持させる密閉手段が設けられることを特徴とする薬液注射用機器の外キャップ。
【請求項２】
前記密閉手段は、前記外キャップの内壁から一体的に延び、前記薬液注射用機器の周面に接触する断面を有する気密接触段であることを特徴とする請求項１に記載の薬液注射用機器の外キャップ。
【請求項３】
前記気密接触段は、前記外キャップの内壁との間に、前記気密接触段の厚さよりも薄い薄肉部が形成され、弾力的な可撓性を有し、前記薬液注射用機器の周面に接触することを特徴とする請求項２に記載の薬液注射用機器の外キャップ。
【請求項４】
前記気密接触段は、弾性気密部材が設けられ、前記弾性気密部材が、前記気密接触段と前記薬液注射用機器の周面との間に位置することを特徴とする請求項３に記載の薬液注射用機器の外キャップ。
【請求項５】
前記弾性気密部材の内周面には、前記薬液注射用機器の組立方向に向かって傾斜して多数配列される一方向傾斜羽根が設けられ、多数の前記一方向傾斜羽根と前記薬液注射用機器の周面との間に多重の気密構造が形成されることを特徴とする請求項４に記載の薬液注射用機器の外キャップ。
【請求項６】
前記密閉手段は、前記外キャップの内壁に設けられ、前記薬液注射用機器の周面に弾力的に接触する断面を有する弾性気密環状体であることを特徴とする請求項１に記載の薬液注射用機器の外キャップ。
【請求項７】
前記弾性気密環状体の内周面には、前記薬液注射用機器の組立方向に向かって傾斜して多数配列される一方向傾斜羽根が設けられ、多数の前記一方向傾斜羽根と前記薬液注射用機器の周面との間に多重の気密構造が形成されることを特徴とする請求項６に記載の薬液注射用機器の外キャップ。
【請求項８】
前記外キャップの内壁には、前記薬液注射用機器に設けられる一方向弁手段の開閉を制御するための制御突起が一体に突出形成されていることを特徴とする請求項５または請求項７に記載の薬液注射用機器の外キャップ。
【発明の詳細な説明】
【技術分野】
【０００１】
本発明は、薬液注射用機器の外キャップに関し、特に、薬液中に混入した異物をろ過させるフィルターを含む薬液注射用機器において、薬液を吸引するときのみに一時的に吸引流路を形成し、薬液を注射するときは、除去されて注射流路を開放させる外キャップを改善して、外キャップの内周面と薬液注射用機器の周面との間を確実に密閉させ、薬液の吸引時、注射流路に確実に負圧を形成するとともに、特に注射針への薬液の侵入を防ぐための装置であって、フィルターを備えた薬液注射用機器が薬液をさらに確実に吸引するようにし、特にろ過される前の薬液が注射針を汚染させることを根本的に防ぐことにより、フィルターを備えた薬液注射用機器の商品性及びユーザの安定性を極大化させることができる装置に関する。
【背景技術】
【０００２】
一般に、注射器は、動植物の体内に薬液を注射する器具であり、鋭い先端で皮膚を刺し、任意の組職内に薬液を注射するようになっている。
【０００３】
図１は、一般の注射器を示す分解斜視図であり、このような注射器は、図１に示すように、注射針１０が結合され、薬液が収容されるシリンダー２０と、前記シリンダー２０内において前進及び後退可能に設けられるプランジャー３０と、で構成される。
【０００４】
このタイプの注射器は、プランジャー３０の後退により、シリンダー２０内に負圧が発生しながら薬液が充填され、プランジャー３０の前進により、正圧となり、シリンダー２０内の薬液が注射針１０から排出されながら患者の体内に薬液の注射が行われるものである。
【０００５】
しかしながら、このタイプの注射器の使用時は、薬液そのものに混入されていた異物や、または薬液が貯蔵されたガラス製アンプルを開封する際に、薬液内に飛散され混入されたガラス片のような異物が、薬液と一緒に患者の体内に注射される恐れがあった。
【０００６】
このような問題点を解決するために、薬液に含まれた異物をろ過するためのフィルターを備えたフィルター注射器が開発されている。
【０００７】
先ず、特許文献１に開示されているように、異物のろ過のためのフィルターが注射針またはシリンダー内に設けられた従来のフィルター注射器は、シリンダーの内部に吸引される薬液に対して異物をろ過する機能を行うようになる。
【０００８】
しかしながら、薬液の吸引時は、アンプルの内部に入った注射針の外表面に異物が付着したり、あるいは注射針の内部に残存した薬液は、異物がろ過されていない状態であるので、異物が薬液と一緒に患者の体内に注射されることを根本的に防止することはできなかった。
【０００９】
これに対して、特許文献２には、異物のろ過のためのフィルターが、注射針を覆うキャップの内部に設けられた例が開示されている。
【００１０】
図２は、従来のフィルターキャップ注射器を示す分解斜視図であり、図３は、従来のフィルターキャップ注射器を示す要部断面図であって、特許文献２に開示された従来のフィルターキャップ注射器が、図２及び図３に示されている。
【００１１】
従来のフィルターキャップ注射器は、図３に示すように、キャップ４０の内部にフィルター４１が設けられており、薬液の吸引時、異物がフィルター４１でろ過され、注射時には、フィルター４１を有するキャップ４０を注射針１０から分離させて除去するので、薬液と一緒に異物が注射される恐れがなかった。
【００１２】
しかしながら、このような従来のフィルターキャップ注射器は、フィルターキャップの直径が、バイアルの入口の直径よりも小さくなければならないだけでなく、フィルターキャップの直径が大きいと、強度の高い先端を形成し難いので、フィルター手段の面積を広げるのに限界があった。
【００１３】
これとともに、薬液がキャップ４０に設けられたフィルター４１を通過した後、微細な注射針１０からのみシリンダー２０の内部に吸引されるので、薬液を吸引するのに比較的大きな力が要求され、使用が極めて不便であるという問題点があった。
【００１４】
すなわち、従来は、ろ過以前の汚染した薬液が注射針を汚染させないように、吸引流路の入口において異物をろ過させなければならないことが、フィルター注射器の開発の焦点となっていた。
【００１５】
ところが、本出願人は、注射器の直接的な製造と関連して得られた知見によって、薬液が貯蔵されたガラス製アンプルを開封する際に、薬液内に飛散され混入されたガラス片のような異物と同様に、注射器の製造時、注射器の内部にはその製造工程上において発生した異物が多く残存しているしかないことがわかった。
【００１６】
これを解決するために、異物をろ過させるフィルターが、薬液を吸引するための吸引流路に設けられず、薬液を体内に注射するための注射流路上に設けられていなければならないとともに、ろ過以前の薬液が注射針を汚染させないように、注射針を隔離させなければならなかった。
【００１７】
しかしながら、これまで、これらの要求条件を全て満たす注射用機器が存在しなかった。
【００１８】
すなわち、吸引流路上にフィルターが設けられると、薬液の吸引時に異物がろ過されるが、注射器の製造時、注射器内に残存する異物をろ過することができず、注射流路上にフィルターが設けられると、薬液の吸引時、汚染した薬液により注射針が汚染するしかないという、従来技術上の問題点があった。
【先行技術文献】
【特許文献】
【００１９】
【特許文献１】韓国公開特許第２０１２−８７５８７号公報
【特許文献２】米国特許第４１８００７１号明細書
【発明の概要】
【発明が解決しようとする課題】
【００２０】
本発明は、前記問題点に鑑みなされたものであり、外キャップの内周面と薬液注射用機器の周面との間を密閉させ、薬液の吸引時、吸引流路に安定的に負圧を形成し、フィルターを備えた薬液注射用機器が薬液をさらに確実に吸引するようにし、特に、薬液の吸引時、注射針への薬液の侵入を防ぎ、ろ過される前の薬液が注射針を汚染させることを根本的に防ぐことにより、フィルターを備えた薬液注射用機器の商品性及びユーザの安定性を極大化させることができる薬液注射用機器の外キャップを提供することにある。
【課題を解決するための手段】
【００２１】
前記目的を達成するために、本発明は、薬液を吸引する吸引針と、薬液注射用機器に気密性を維持して結合するキャップハブとが設けられ、前記吸引針から前記キャップハブに至る内部空間が形成された外キャップにおいて、前記内部空間には、前記薬液注射用機器の組み立てにより、注射針を収容する注射針収容部が形成され、前記注射針収容部の入口には、前記薬液注射用機器の組み立てにより、前記薬液注射用機器の周面と接触し、前記内部空間と前記注射針収容部との間に気密性を維持させる密閉手段が設けられることにより達成される。
【００２２】
ここで、前記密閉手段は、前記外キャップの内壁から一体（一体的）に延び、前記薬液注射用機器の周面に接触する断面を有する気密接触段であることが好ましい。
【００２３】
このとき、前記気密接触段は、前記外キャップの内壁との間に、前記気密接触段の厚さよりも薄い薄肉部が形成され、前記気密接触段は、弾力的な可撓性を有し、前記薬液注射用機器の周面に接触することが好ましい。
【００２４】
これとともに、前記気密接触段には、弾性気密部材が設けられ、前記弾性気密部材が、前記気密接触段と前記薬液注射用機器の周面との間に位置してもよい。
【００２５】
好ましくは、前記弾性気密部材の内周面には、前記薬液注射用機器の組立方向に向かって傾斜して多数配列される一方向傾斜羽根が設けられ、多数の前記一方向傾斜羽根と前記薬液注射用機器の周面との間に多重の気密構造が形成されることがよい。
【００２６】
これとは異なり、前記密閉手段は、前記外キャップの内壁に設けられ、前記薬液注射用機器の周面に弾力的に接触する断面を有する弾性気密環状体であってもよい。
【００２７】
この場合、前記弾性気密環状体の内周面には、前記薬液注射用機器の組立方向に向かって傾斜して多数配列される一方向傾斜羽根が設けられ、多数の前記一方向傾斜羽根と前記薬液注射用機器の周面との間に多重の気密構造が形成されることが好ましい。
【００２８】
これに加えて、前記外キャップの内壁には、前記薬液注射用機器に設けられる一方向弁手段の開閉を制御するための制御突起が一体に突出形成されていることが最も好ましい。
【発明の効果】
【００２９】
本発明によれば、外キャップの内周面と薬液注射用機器の周面との間を密閉させ、薬液の吸引時、吸引流路に安定的に負圧を形成し、フィルターを備えた薬液注射用機器が薬液をさらに確実に吸引するようにし、特に、薬液の吸引時、注射針への薬液の侵入を防ぎ、ろ過される前の薬液が注射針を汚染させることを根本的に防ぐことにより、フィルターを備えた薬液注射用機器の商品性及びユーザの安定性を極大化させることができる。
【図面の簡単な説明】
【００３０】
【図１】一般の注射器を示す分解斜視図である。
【図２】従来のフィルターキャップ注射器を示す分解斜視図である。
【図３】従来のフィルターキャップ注射器を示す要部断面図である。
【図４】本発明に係る薬液注射用機器の外キャップを示す図である。
【図５】本発明に係る薬液注射用機器の外キャップを示す分解図である。
【図６】本発明に係る薬液注射用機器の外キャップの実施例１を示す断面図である。
【図７】本発明に係る薬液注射用機器の外キャップの実施例１を示す分解断面図である。
【図８】本発明に係る薬液注射用機器の外キャップの実施例１の変形例を示す要部断面図である。
【図９】本発明に係る薬液注射用機器の外キャップの実施例１の他の変形例を示す要部断面図である。
【図１０】本発明に係る薬液注射用機器の外キャップの実施例２を示す要部断面図である。
【図１１】本発明に係る薬液注射用機器の外キャップの実施例２の変形例を示す要部断面図である。
【発明を実施するための形態】
【００３１】
図４は、本発明に係る薬液注射用機器の外キャップを示す図であり、図５は、本発明に係る薬液注射用機器の外キャップを示す分解図である。
【００３２】
また、図６は、本発明に係る薬液注射用機器の外キャップの実施例１を示す断面図であり、図７は、本発明に係る薬液注射用機器の外キャップの実施例１を示す分解断面図である。
【００３３】
また、図８は、本発明に係る薬液注射用機器の外キャップの実施例１の変形例を示す要部断面図であり、図９は、本発明に係る薬液注射用機器の外キャップの実施例１の他の変形例を示す要部断面図である。
【００３４】
最後に、図１０は、本発明に係る薬液注射用機器の外キャップの実施例２を示す要部断面図であり、図１１は、本発明に係る薬液注射用機器の外キャップの実施例２の変形例を示す要部断面図である。
【００３５】
本発明に係る薬液注射用機器の外キャップは、図４乃至図１１に示すように、外キャップ１００の内周面と薬液注射用機器２００の周面との間を密閉させ、薬液の吸引時、吸引流路に安定的に負圧を形成し、フィルターを備えた薬液注射用機器２００が薬液をさらに確実に吸引するようにし、特に、薬液の吸引時、注射針２１０への薬液の侵入を防ぎ、ろ過される前の薬液が注射針２１０を汚染させることを根本的に防ぐことにより、フィルターを備えた薬液注射用機器２００の商品性及びユーザの安定性を極大化させることができることを、その技術上の基本特徴とする。
【００３６】
以下、添付図面を参照して、本発明の実施例について説明する。
【００３７】
また、説明の便宜のため、バイアルを含めた多様な形態の薬液容器から、注射針２１０と結合した薬液注射用機器２００に至る全ての流路をまとめて吸引流路といい、前記薬液注射用機器２００から、身体に刺す注射針２１０に至る全ての流路をまとめて注射流路という。
【００３８】
ここで、前記薬液注射用機器２００とは、注射器、コネクタ、三方弁等を含めて、薬液を直接的に注射し、あるいは薬液を注射するために補助的に用いられる多様な形態のものを全て含む。
【００３９】
本発明に係る薬液注射用機器の外キャップは、薬液を吸引する吸引針１１０と、薬液注射用機器２００に気密を維持して結合するキャップハブ１２０とが設けられ、前記吸引針１１０から前記キャップハブ１２０に至る内部空間が形成された外キャップ１００において、前記内部空間には、前記薬液注射用機器２００の組み立てにより、注射針２１０を収容する注射針収容部１３０が形成され、前記注射針収容部１３０の入口には、前記薬液注射用機器２００の組み立てにより、前記薬液注射用機器２００の周面と接触し、前記内部空間と前記注射針収容部１３０との間に気密を維持させる密閉手段が設けられることが好ましい。
【００４０】
先ず、本発明に係る薬液注射用機器の外キャップ１００は、図４に示すように、基本的に薬液容器から薬液を吸引するためのものであって、吸引針１１０及びキャップハブ１２０を含み、前記吸引針１１０は、様々な薬液包装形態の一つであるバイアル等を刺し込むことができるように、その先端が傾斜して形成され、金属材または合成樹脂材からなり、高い剛性を有する。
【００４１】
また、キャップハブ１２０は、このような吸引針１１０を支持するように一体に形成されたものであって、キャップハブ１２０の内周面は、図６に示すように、注射針２１０と結合した薬液注射用機器２００の外周面と結合して気密を維持するようになる。
【００４２】
このとき、前記外キャップ１００は、一体に成形されることが好ましく、内部に形成される複雑な断面構造のため、成形性を考慮して、図５に示すように、合成樹脂材を用いて、２つ以上に成形されてから、図４に示すように、一つに接着または融着等の周知の方法で一体化して製造されてもよい。
【００４３】
これにより、前記外キャップ１００の内部には、前記吸引針１１０から前記キャップハブ１２０に至る内部空間が形成され、このような外キャップ１００の内部空間は、薬液を薬液注射用機器２００へ吸引するための吸引流路として用いられる。
【００４４】
特に、本発明では、図６に示すように、前記外キャップ１００の内部空間に注射針収容部１３０が形成されている。
【００４５】
この注射針収容部１３０は、注射針２１０を収容するように、長いパイプ状からなり、その終端は閉鎖しており、入口は開放されて、注射針２１０の出入りが可能である。
【００４６】
すなわち、前記外キャップ１００を薬液注射用機器２００に組み立てると、前記薬液注射用機器２００の先端に位置して注射流路を形成する注射針２１０が、注射針収容部１３０内に位置するようになる。
【００４７】
このような注射針収容部１３０も、前記外キャップ１００の一部として一体形成されており、このような注射針収容部１３０を支持するために架橋１０１を形成して、薬液の流れを阻害せず、前記注射針収容部１３０を支持する。
【００４８】
これとともに、本発明では、前記注射針収容部１３０の入口に、前記薬液注射用機器２００の組み立てにより、前記薬液注射用機器２００の周面と接触して、前記内部空間と前記注射針収容部１３０との間に気密を維持させる密閉手段が設けられる。
【００４９】
すなわち、前記密閉手段が、前記外キャップ１００の内部空間と注射針収容部１３０との間に気密を維持することにより、ろ過される前の薬液が注射針２１０を汚染させることを防ぎ、注射流路を閉鎖状態とする。
【００５０】
しかしながら、外キャップ１００が除去されると、図７に示すように、注射流路を形成する注射針２１０が露出しながら、注射流路を閉鎖状態から開放状態に切り替える機能を行う。
【００５１】
このような機能を行う密閉手段は、前記外キャップ１００の内部に形成される構造物であってもよく、または別途の構成要素となっていてもよい。
【００５２】
以下、前記外キャップ１００の内部に一体形成されている構造物形態の密閉手段が適用される実施例１と、前記外キャップ１００の内部に別途の構成要素形態の密閉手段が適用される実施例２に分けて説明する。
【実施例１】
【００５３】
本発明に係る薬液注射用機器の外キャップについての実施例１によると、前記密閉手段は、前記外キャップ１００の内壁から一体に延び、前記薬液注射用機器２００の周面に接触する断面を有する気密接触段１４０であることが好ましい。
【００５４】
すなわち、図６に示すように、実施例１における密閉手段は、前記外キャップ１００の内壁に形成される気密接触段１４０からなる。
【００５５】
この気密接触段１４０は、外キャップ１００の内壁、より詳しくは、注射針収容部１３０と架橋１０１が当接する部位から所定の長さだけ延び、薬液注射用機器２００の周面に接触する。
【００５６】
このとき、気密性の増大のため、前記気密接触段１４０は、前記薬液注射用機器２００に線接触するよりも、面接触することが好ましい。
【００５７】
その結果、外キャップ１００が薬液注射用機器２００に組み立てられると、注射針２１０は、注射針収容部１３０内に位置するとともに、この注射針収容部１３０の入口が薬液注射用機器２００の周面と接触する気密接触段１４０により気密性を維持するようになる。
【００５８】
これに加えて、前記気密接触段１４０は、図８に示すように、前記外キャップ１００の内壁との間に、前記気密接触段１４０の厚さよりも薄い薄肉部１５０が形成され、前記気密接触段１４０は、弾力的な可撓性を有し、前記薬液注射用機器２００の周面に接触することが好ましい。
【００５９】
すなわち、前記気密接触段１４０の基部に厚さが薄い薄肉部１５０を形成することにより、前記薄肉部１５０が弾力的に曲がり、前記気密接触段１４０を弾性支持するようになる。
【００６０】
これによると、前記気密接触段１４０が前記薬液注射用機器２００の周面に弾力的に接触することができ、さらに確実に気密性を維持することが可能となる。
【００６１】
これとともに、図８に示すように、前記気密接触段１４０には、弾性気密部材１６０が設けられ、前記弾性気密部材１６０が、前記気密接触段１４０と前記薬液注射用機器２００の周面との間に位置することが好ましい。
【００６２】
すなわち、上述した薄肉部１５０を形成して気密性を高めるとともに、ゴムや、好ましくはシリコン材質からなる弾性気密部材１６０を前記気密接触段１４０に設けることにより、前記気密接触段１４０と前記薬液注射用機器２００の周面との間に、さらに確実に気密性を維持することが可能となる。
【００６３】
このとき、前記弾性気密部材１６０は、別途の環状に作製され、前記気密接触段１４０により支持されるようにしてもよく、別途のカバー状に作製され、前記気密接触段１４０を被覆して支持されるようにしてもよいが、その形状や組立構造に制限はない。
【００６４】
特に、本発明において、図９に示すように、前記弾性気密部材１６０の内周面には、前記薬液注射用機器２００の組立方向に向かって傾斜して多数配列される一方向傾斜羽根１６１が設けられ、多数の前記一方向傾斜羽根１６１と前記薬液注射用機器２００の周面との間に多重の気密構造が形成されることが最も好ましい。
【００６５】
これによると、前記弾性気密部材１６０の内周面に、薬液注射用機器２００の組立方向である図面上の上方向に向かって傾斜して多数の一方向傾斜羽根１６１を多数形成することにより、薬液注射用機器２００に外キャップ１００を組み立てると、多数の前記一方向傾斜羽根１６１の先端がそれぞれ薬液注射用機器２００の周面に接触することにより、多重の気密構造が形成される。
【００６６】
このように構成された一方向傾斜羽根１６１は、吸引流路に負圧が作用すると、薬液注射用機器２００の周面にさらに密着するように変形するので、上述した気密接触段１４０と薬液注射用機器２００の周面との間に水密性の高い気密構造が確実に形成される。
【実施例２】
【００６７】
本発明に係る薬液注射用機器の外キャップについての第２実施例によると、図１０に示すように、前記密閉手段は、前記外キャップ１００の内壁に設けられ、前記薬液注射用機器２００の周面に弾力的に接触する断面を有する弾性気密環状体１７０であることが好ましい。
【００６８】
すなわち、上述した実施例１においては、外キャップ１００の内壁から一体に延びた気密接触段１４０が形成されていたが、本発明の実施例２によると、別途の弾性気密環状体１７０を構成することが異なる。
【００６９】
勿論、前記弾性気密環状体１７０を前記外キャップ１００に固定させるための構成を必要とする。
【００７０】
例えば、所望の位置まで、別途の支持突起１９０を前記外キャップ１００から延びて形成してから、この支持突起１９０に弾性気密環状体１７０が固定されてもよい。
【００７１】
上述した弾性気密環状体１７０を固定させるための外キャップ１００の多様な変形があり得ることは自明であろう。
【００７２】
特に、本発明では、図１１に示すように、前記弾性気密環状体１７０の内周面には、前記薬液注射用機器２００の組立方向に向かって傾斜して多数配列される一方向傾斜羽根１７１が設けられ、多数の前記一方向傾斜羽根１７１と前記薬液注射用機器２００の周面との間に多重の気密構造が形成されることが最も好ましい。
【００７３】
これによると、前記弾性気密環状体１７０の内周面に薬液注射用機器２００の組立方向である図面上の上方向に向かって傾斜して多数の一方向傾斜羽根１７１を形成することにより、薬液注射用機器２００に外キャップ１００を組み立てると、多数の前記一方向傾斜羽根１７１の先端が、それぞれ薬液注射用機器２００の周面に接触することにより、多重の気密構造が形成される。
【００７４】
このように構成された一方向傾斜羽根１７１は、吸引流路に負圧が作用すると、薬液注射用機器２００の周面にさらに密着するように変形するので、上述した弾性気密環状体１７０と薬液注射用機器２００の周面との間に水密性が高い気密構造が確実に形成される。
【００７５】
以上、本発明に係る外キャップ１００に、密閉手段として、気密接触段１４０または弾性気密環状体１７０が設けられることにより、吸引流路から注射針２１０を隔離させるとともに、注射針２１０の閉鎖状態を維持する作用について説明したが、以下では、薬液注射用機器２００を含めた全体的な作用について説明する。
【００７６】
ここで、薬液注射用機器２００は、上述したように、注射器、コネクタ、三方弁等を含めて、薬液を直接的に注射し、あるいは薬液を注射するために補助的に用いられる多様な形態を全て含む。
【００７７】
以下、説明の便宜のため、針２１１とハブ２１２からなる注射針２１０と、薬液を一方向にのみ流通可能にする一方向弁手段２２０と、前記一方向弁手段２２０が分離されることを防止するための固定リング２３０と、注射流路上において薬液から異物をろ過するためのフィルター２４０と、を備える薬液注射用機器２００について説明する。
【００７８】
すなわち、本発明では、薬液の吸引時は、図６に示すように、吸引流路の一方向弁手段２２０が変形して開放され、異物がろ過されていない薬液が薬液注射用機器２００の内部に吸引され、その間、本発明の密閉手段である気密接触段１４０または弾性気密環状体１７０が注射流路に位置した注射針２１０を閉鎖している。
【００７９】
これに対して、薬液の注射時は、図７に示すように、外キャップ１００の除去により、注射流路に位置した注射針２１０が開放される一方、一方向弁手段２２０により、吸引流路は閉鎖される。
【００８０】
このとき、前記一方向弁手段２２０は、実施形態によって、薬液注射用機器２００内において形成される圧力の作用方向により自ら開閉が調節されてもよく、単に外キャップ１００が分離された否かにより開閉が調節されてもよい。
【００８１】
これと関連して、本発明の出願人による韓国登録特許第１０−１５６３７２３号公報に、キャップが分離された否かにより開閉が調節される構成が開示されているので、詳細な説明を省略する。
【００８２】
特に、本発明では、薬液注射用機器２００内において形成される圧力の作用方向により自ら開閉が調節されるとともに、外キャップ１００が分離されたか否かにより開閉が調節されるように、前記外キャップ１００の内壁には、前記薬液注射用機器２００に設けられる一方向弁手段２２０の開閉を制御するための制御突起１８０が一体に突出形成されていることが好ましい。
【００８３】
例えば、前記制御突起１８０を形成しなかった場合は、前記一方向弁手段２２０は、薬液注射用機器２００から作用する圧力の方向による開閉だけが行われ、外キャップ１００が分離された否かによっては開閉が調節されない。
【００８４】
しかしながら、前記制御突起１８０を形成する場合は、外キャップ１００が組み立てられると、前記制御突起１８０が一方向弁手段２２０の変形を引き起こすので、外キャップ１００が組み立てられた状態では、前記一方向弁手段２２０が常時開放した状態を維持するようになる。
【００８５】
これによると、薬液を吸引してから直ちに体内に注射しない場合のように、外キャップ１００が組み立てられた状態で、薬液を吸引してからそのまま排出しなければならない場合、例えば、食塩水を吸引してから粉末薬剤が入った薬液容器に食塩水を注射して粉末薬剤を溶解させ、再度吸引しなければならない場合も、便利に使うことができるという利点を有する。
【００８６】
また、通常、一方向弁手段２２０が弾性材質からなるので、薬液の注射時、フィルター２４０へ作用する圧力に耐えられず、一方向弁手段２２０が分離されることがあった。
【００８７】
これを防ぐために、前記固定リング２３０を用いて、一方向弁手段２２０を薬液注射用機器２００に堅固に固定させてもよい。
【００８８】
また、前記薬液注射用機器２００の先端には注射針２１０が結合し、このような注射針２１０の内側には、薬液に含まれている微細なガラス片を含めた各種の異物までもろ過させることができるフィルター２４０が設けられる。
【００８９】
これにより、薬液の注射時、一方向弁手段２２０を通過した薬液は、フィルター２４０により異物がろ過されてから、注射針２１０を通じて体内に注射される。
【００９０】
勿論、必要に応じて、吸引流路上に別途のフィルターをさらに加えてもよい。
【００９１】
その結果、薬液に含まれた異物はもとより、製造工程上、薬液注射用機器２００の内部にあった異物までもろ過させてから、安全に注射することができる。
【００９２】
このような構成により、薬液の吸引流路は、薬液容器から外キャップ１００の吸引針１１０を経て一方向弁手段２２０を通過してから、薬液注射用機器２００を含んでいる。
【００９３】
これに対して、注射流路は、薬液注射用機器２００からフィルター２４０を経て注射針２１０を含んでいる。
【００９４】
上述した本発明に係る薬液注射用機器の外キャップは、一方向弁手段２２０の開閉が、外キャップ１００との組み立ての有無によるものであって、前記薬液注射用機器２００に負圧が作用すると、図６に示すように、一方向弁手段２２０が開放され、薬液の吸引が行われる。
【００９５】
これに対して、注射時、単に外キャップ１００を分離した状態で、前記薬液注射用機器２００に正圧が作用すると、図７に示すように、一方向弁手段２２０が閉鎖されることにより、薬液は、フィルター２４０を経て異物がろ過されてから、注射針２１０を通じて注射される。
【００９６】
したがって、本発明に係る薬液注射用機器の外キャップは、外キャップ１００の内周面と薬液注射用機器２００の周面との間を密閉させ、薬液の吸引時、吸引流路に安定的に負圧を形成し、フィルター２４０を備えた薬液注射用機器２００が薬液をさらに確実に吸引するようにし、特に、薬液の吸引時、注射針２１０への薬液の侵入を防ぎ、ろ過される前の薬液が注射針２１０を汚染させることを根本的に防ぐことにより、フィルター２４０を備えた薬液注射用機器の商品性及びユーザの安定性を極大化させることができる発明である。
【００９７】
特に、外キャップ１００を組み立てた状態で、薬液を吸引し、外キャップ１００を分離させるだけで、薬液を注射することができ、ユーザの使い勝手が大いに向上するという利点を有するようになる。
【００９８】
また、制御突起１８０をさらに形成すれば、外キャップ１００を分離させていない状態でも、フィルター２４０を経ず、薬液の迅速な排出も可能であるという利点も有する。
【００９９】
上述した実施例は、本発明の技術的思想を具体的に説明するための一例であり、本発明の範囲は、上記した図面や実施例に限定されるものではない。
【符号の説明】
【０１００】
１００  外キャップ
１０１  架橋
１１０  吸引針
１２０  キャップハブ
１３０  注射針収容部
１４０  気密接触段
１５０  薄肉部
１６０  弾性気密部材
１６１  一方向傾斜羽根
１７０  弾性気密環状体
１７１  一方向傾斜羽根
１８０  制御突起
１９０  支持突起
２００  薬液注射用機器
２１０  注射針
２１１  針
２１２  ハブ
２２０  一方向弁手段
２３０  固定リング
２４０  フィルター
【図１】
2019517319.tif 000003
【図２】
2019517319.tif 000004
【図３】
2019517319.tif 000005
【図４】
2019517319.tif 000006
【図５】
2019517319.tif 000007
【図６】
2019517319.tif 000008
【図７】
2019517319.tif 000009
【図８】
2019517319.tif 000010
【図９】
2019517319.tif 000011
【図１０】
2019517319.tif 000012
【図１１】
2019517319.tif 000013
【国際調査報告】
2019517319.tif 000014
2019517319.tif 000015
2019517319.tif 000016
2019517319.tif 000017